(57)【要約】【課題】  単品型室外機置台との共通性を向上させることにより生産管理及び在庫管理を簡略化するとともに、増設の場合の見栄えを向上させたエアコン室外機の平地用連結型室外機置台を提供すること。【解決手段】  平面視四角形の四隅に支柱２を有する複数台の平地用単品型室外機置台１を横並びに配置し、隣接する支柱２間を上連結部材１０及び下連結部材２０により固定して平地用連結型室外機置台を構成する。上連結部材１０は、支柱２に固定される支持部材５に対し、支柱２間の左右方向に配置される横フレーム４と共締めして固定するようにしてもよい。また、下連結部材２０は、支柱２の下部に取り付けられているアジャスター７のロックナット７ｃと支柱２の下面との間に挟み込んで固定するようにしてもよい。【選択図】      図１
2007064537.tif 000002
【特許請求の範囲】
【請求項１】
横並びに配置された、平面視四角形の四隅に支柱を有する複数台の平地用単品型室外機置台と、隣接する単品型室外機置台の支柱間の上部に跨って配置されてこれら支柱の上部同士を連結する上連結部材と、隣接する単品型室外機置台の支柱間の下部に跨って配置されて、隣接する支柱の下部同士を連結する下連結部材とを有することを特徴とするエアコン室外機の平地用連結型室外機置台。
【請求項２】
前記平地用単品型室外機置台は、支柱間の左右方向に架け渡された横フレームと、この横フレームの一端を下方から支持する、支柱に固定された支持部材とを具備し、横フレームは支持部材にボルト止めにより固定され、前記上連結部材は横フレームと共に前記ボルトにより横フレームと共締めされて固定されていることを特徴とする請求項１記載のエアコン室外機の平地用連結型室外機置台。
【請求項３】
前記平地用単品型室外機置台は、各支柱の下端面にねじ棒部をロックナットで固定された、支柱のレベル調整用のアジャスターを更に有し、前記下連結部材は、隣接する支柱の下面とロックナットとの間に挟持される水平の水平取付面部を有し、ロックナットを締め付けることによりこの水平取付面部が固定されていることを特徴とする請求項１又は２記載のエアコン室外機の平地用連結型室外機置台。
【請求項４】
前記支持部材は、支柱の前面に平行となるように支柱の側面の前面側に位置する前垂直面部と、支柱の後面に平行となるように支柱の側面の後面側に位置する後垂直面部とを有し、前記横フレームは、その端部に、支持部材の前垂直面部及び後垂直面部を上方から覆う覆部を有し、覆部が支持部材を覆っている状態において覆部及び支持部材に対しボルトが前後方向に貫通され、このボルトにナットが締結されて支持部材に固定されるように構成され、また、前記上連結部材は、支柱の前面又後面に沿う連結面部と、隣接する支柱に支持される各横フレームの覆部に沿う垂直取付面部とを有し、この垂直取付面部に前記ボルトを挿通可能とするボルト孔が形成され、前記ボルトにより横フレームと共締めされて支持部材に固定されていることを特徴とする請求項２記載のエアコン室外機の平地用連結型室外機置台。
【請求項５】
前記上連結部材は、垂直取付面部の上端に開口する切欠孔により、前記ボルトを挿通可能とするボルト孔が形成され、前記横フレームと前記ボルトの頭部又は前記ナットとの間に下方から垂直取付面部をさし込み、前記ボルトをこのボルト孔に挿通させた状態で取り付けられていることを特徴とする請求項４記載のエアコン室外機の平地用連結型室外機置台。
【請求項６】
前記平地用単品型室外機置台は、支柱間の前後方向に架け渡されて支柱に連結されている縦フレームを有し、前記上連結部材は、連結面部が縦フレームの下方位置となるように形成されていることを特徴とする請求項４又は５記載のエアコン室外機の平地用連結型室外機置台。
【請求項７】
前記上連結部材は、連結面部の下端部には連結面部を水平方向に屈曲させた水平片を備えていることを特徴とする請求項４〜６の何れか１項に記載のエアコン室外機の平地用連結型室外機置台。
【請求項８】
前記上連結部材は、後側の支柱に対しては支柱の前面側に取り付けられ、前側の支柱に対して支柱の後面側に取り付けられていることを特徴とする請求項４〜７の何れか１項に記載のエアコン室外機の平地用連結型室外機置台。
【請求項９】
前記横フレームと支持部材とを固定しているボルトは、後側の支柱では後方から前方に向けて挿通され、前側の支柱では前方から後方に向けて挿通されていることを特徴とする請求項４〜７の何れか１項に記載のエアコン室外機の平地用連結型室外機置台。
【請求項１０】
前記平地用単品型室外機置台は、支柱間の前後方向に配置されて支柱に連結される縦フレームを有し、前記支持部材は、支柱の前面側に形成された支柱の前面に平行な前垂直面部と支柱の後面側に形成された支柱の後面に平行な後垂直面部とを有し、前記横フレームは、その端部に、支持部材の前垂直面部及び後垂直面部を上方から覆う覆部を有し、覆部が支持部材を覆っている状態の組立物に対しボルトが前後方向に貫通され、このボルトにナットが締結される構造に形成され、前記上連結部材は、隣接する支柱に支持されるそれぞれの横フレームの覆部に沿う垂直取付面部と、この垂直取付面部間に形成され、隣接する両縦フレームを上方から相互に引き寄せるように挟んで保持する挟持連結部とを有し、この垂直取付面部には前記ボルトを挿通可能とするボルト孔が形成され、前記垂直取付面部は前記ボルトにより横フレームと共締めされて支持部材に固定され、前記挟持連結部は、中央部で分割され、分割された両半割部分をこの分割側の端部においてボルト締めにより相互に引き寄せることにより、縦フレームを挟持するように構成されていることを特徴とする請求項２記載のエアコン室外機の平地用連結型室外機置台。
【請求項１１】
前記下連結部材は、水平取付面部に隣接するアジャスターの二つのねじ棒部を個別に貫通させるための二つの孔部を有することを特徴とする請求項３〜１０の何れか１項に記載のエアコン室外機の平地用連結型室外機置台。
【請求項１２】
前記下連結部材は、ねじ棒部を貫通させるための孔部が水平取付面部の一端部に平行に開口する切欠孔として形成されていることを特徴とする請求項１１記載のエアコン室外機の平地用連結型室外機置台。
【請求項１３】
前記下連結部材は、前記切欠孔を利用して、後側のアジャスターに対しては前方から、前側のアジャスターに対しては後方からさし込まれて固定されていることを特徴とする請求項１２記載のエアコン室外機の平地用連結型室外機置台。
【請求項１４】
前記下連結部材は、前記切欠孔を利用して、後側のアジャスターに対しては後方から、前側のアジャスターに対しては前方からさし込まれて固定されていることを特徴とする請求項１２記載のエアコン室外機の平地用連結型室外機置台。
【請求項１５】
前記下連結部材は、前記切欠孔が開口している端部の反対側の端部に、水平取付面部を垂直方向に屈曲させた垂直片を備えていることを特徴とする請求項１３又は１４記載のエアコン室外機の平地用連結型室外機置台。
【請求項１６】
前記下連結部材は、ねじ棒部を貫通させるための二つの孔部が、水平取付面部の左右両端部に開口する切欠孔として形成されていることを特徴とする請求項１１記載のエアコン室外機の平地用連結型室外機置台。
【請求項１７】
前記水平取付面部は、隣接する支柱間の中央部で２分割され、この分割された各半割部分がヒンジ機構により連結され、固定されていない半割部分が上方へ回転自在となるように構成されていることを特徴とする請求項１６記載のエアコン室外機の平地用連結型室外機置台。
【請求項１８】
平面視四角形の四隅に支柱を有する複数台の平地用単品型室外機置台を横並びに配置し、隣接する前記単品型室外機置台の支柱間の上部及び下部間を連結部材により連結し、左右方向に隣接する支柱の何れか一方のみの足元をアンカーボルトで固定するようにしたことを特徴とするエアコン室外機の平地用連結型室外機置台の製作方法。
【請求項１９】
前記平地用単品型室外機置台は、支柱間の左右方向に架け渡された横フレームと、この横フレームの一端を下方から支持するための、支柱に固定された支持部材とを具備し、横フレームは支持部材に対しボルトナット止めにより固定されるものであり、このナットを緩めて上連結部材を横フレームと共締めして固定することを特徴とする請求項１８記載のエアコン室外機の平地用連結型室外機置台の製作方法。
【請求項２０】
前記上連結部材には上端に開放する切欠孔をボルト孔とするものを使用し、上連結部材をさし込むことができる程度に横フレームを固定するナットを緩め、上連結部材を横フレームとナットとの間に下方からさし込み、次いで、当該ナットを締結して上連結部材を固定することを特徴とする請求項１９記載のエアコン室外機の平地用連結型室外機置台の製作方法。
【請求項２１】
前記平地用単品型室外機置台は、各支柱の下端面にねじ棒部をロックナットで固定された、支柱のレベル調整用のアジャスターを更に有し、隣接する支柱の下面とロックナットとの間に挟持される水平の水平取付面部を有する下連結部材を用い、ロックナットを締め付けることにより水平取付面部を挟持して下連結部材を取り付けるようにしたことを特徴とする請求項１８〜２０の何れか１項に記載のエアコン室外機の平地用連結型室外機置台の製作方法。
【請求項２２】
前記下連結部材には一端に開放する切欠孔を前記ねじ棒部を貫通させる貫通孔とするものを使用し、下連結部材をさし込むことができる程度にロックナットを緩め、前記ねじ棒部が前記切欠孔を貫通するように下連結部材をロックナットと支柱の下端面との間に前方又は後方からさし込み、次いで、ロックナットを締め付けることにより下連結部材を固定することを特徴とする請求項１８〜２１の何れか１項に記載のエアコン室外機の平地用連結型室外機置台の製作方法。
【発明の詳細な説明】
【技術分野】
【０００１】
本発明は、エアコン室外機の平地用連結型室外機置台及びその製作方法に関し、特に、エアコン室外機の平地用単品型室外機置台を複数台用いて構成した連結型室外機置台及びその製作方法に関する。
【背景技術】
【０００２】
エアコン室外機の据付に使用される平地用室外機置台としては、従来、特許文献１に記載のように、１台のエアコン室外機を設置するための置台、即ち単品型室外機置台と、特許文献２に記載のように、複数台のエアコン室外機の据え付けに使用される置台、即ち連結型室外機置台とがあった。
【０００３】
複数台のエアコンを設置する場合に特許文献１のような単品型室外機置台を使用する場合は、エアコン室外機の数量と同数の単品型室外機置台が必要になり、各置台毎に平面視四角形の四隅の支柱毎にアンカーボルトを打ち込む必要があった。また、単品型室外機置台間に隙間が生じ、見栄えが悪くなるという問題があった。
【０００４】
一方、特許文献２の連結型室外機置台は、図２６〜図３０に示すようなものであった。ここで、この連結型室外機置台をこれら図面に基づいて簡単に説明する。なお、カッコ内に示した名称は、特許文献２に使用されている名称であり、注釈として必要と思われる場合のみ記載している。この連結型室外機置台は、図２６の外観斜視図に示すように、小型の３台の小型置台Ａ１〜Ａ３と、１台の２段式置台Ｂと、１台の大型置台Ｃとが横方向に連結されたものである。
小型置台Ａ１に相当する単品型置台Ａは、図２７にその斜視図が示されているように、平面視四角形の四隅に配置された４本の支柱（ポスト）１０１と、前後において左右方向の支柱１０１間に架け渡された２本の横フレーム１０２（横桿）と、左右側部において前後方向の支柱１０１間に架け渡された２本の縦フレーム１０３（縦桿）と、前後の横フレーム１０２間に架け渡された１対の取付ベース１０４と、支柱１０１の下面に取り付けられた高さ調整用の座１０５とを備えている。また、支柱１０１の平面図である図２８、及び、組み合せ前の支柱１０１の一部分を断面で表した側面図である図２９に示すように、支柱１０１には横フレーム１０２及び縦フレーム１０３を支持するための支持部材（ポケット）１０６が２方向に取り付けられている。また、横フレーム１０２及び縦フレーム１０３の端部には、上下方向に貫通する平断面Ｕ字状の支持部材１０６に係合する係止フック１０２ａが製作されている。また、この単品型置台Ａを図２６のように連結型置台用の小型置台Ａ１〜Ａ３として製作するときは、隣り合う置台間の支柱を兼用型支柱１１０としていた。この場合の兼用型支柱１１０は、図３０に示すように、３方向に支持部材１０６を設けたものとなっていた。このように、従来の連結型室外機置台の場合は、隣接するエアコン室外機間の兼用型支柱１１０が共用される形態で製作されていたので、アンカーボルトの打ち込み本数を減らすことができ、一体感があり見栄えが良好となるという利点があった。
【特許文献１】特開平２００２-３９５７３号公報
【特許文献２】登録実用新案２５１６９２１号公報
【発明の開示】
【発明が解決しようとする課題】
【０００５】
しかしながら、従来の連結型室外機置台の場合は、隣り合う小型置台Ａ１、Ａ２、Ａ３間の支柱を兼用型支柱１１０とすることにより、部品段階での共通性が薄れ、また、完成品段階での共通性が全くなくなるという問題があった。このため、複数台のエアコン室外機を設置する場合に、従来の連結型室外機置台を用いる場合は、部品及び製品の生産管理及び在庫管理が煩雑となる問題があった。さらに、エアコン室外機を増設する場合、簡単に既設の置台に必要台数分を継ぎ足すことが困難であるため、増設する室外機置台は別物を別置としなければならず、既設の室外機置台と増設の室外機置台との間に隙間が生じ、一体感が損なわれるという問題があった。なお、２段式置台Ｂ及び１台の大型の置台についても、単品型置台と連結型置台との間では同様の問題がある。
【０００６】
本発明は、上記課題に鑑みなされたものであり、単品型室外機置台との共通性を向上させることにより生産管理及び在庫管理を簡略化するとともに、増設の場合の見栄えを向上させたエアコン室外機の平地用連結型室外機置台を提供することを目的とする。
【課題を解決するための手段】
【０００７】
本発明に係るエアコン室外機の平地用連結型室外機置台は、横並びに配置された、平面視四角形の四隅に支柱を有する複数台の平地用単品型室外機置台と、隣接する前記単品型室外機置台の支柱間の上部に跨って配置されて、これら支柱の上部同士を連結する上連結部材と、隣接する前記単品型室外機置台の支柱間の下部に跨って配置されて隣接する支柱の下部同士を連結する下連結部材とを有することを特徴とする。
【０００８】
このように構成された本発明に係る平地用連結型室外機置台によれば、平面視四角形の四隅に支柱を有する複数台の平地用単品型室外機置台を横並びに配置し、隣接する支柱間を連結部材により固定して構成されているので、部品及び完成品レベルでの平地用単品型室外機置台との共通性が高く、部品及び完成品に関する生産管理及び在庫管理が簡略化される。また、平地用単品型室外機置台を単に横並びにしたものと比較して、平地用単品型室外機置台を整然と並べた状態の構成となるので見栄えが良くなる。また、隣接する支柱の何れか一方の支柱の足元をアンカーボルトで固定することにより、隣接する双方の置台の固定をそれぞれ強固なものとすることができるので、各置台毎に四隅にアンカーボルトを打ち込む必要がなく、取り付け作業工数が削減される。また、このように製作された既設の平地用連結型又は単品型室外機置台に対し置台を増設する場合には、現地において連結部材により平地用単品型室外機置台を継ぎ足していくことにより、既設の置台を必要台数に見合った平地用連結型室外機置台に変更することができる。そして、このようにエアコン室外機の増設により台数を増加するように変更された平地用連結型室外機置台は、当初から増設後の台数に見合った台数用に製作された平地用連結型室外機置台と同様な仕上げとなるので、増設の場合の見栄えが良くなる。
【０００９】
また、前記平地用単品型室外機置台は、支柱間の左右方向に配置される横フレームを、支柱に固定された支持部材に対しボルト止めにより固定するように構成し、上連結部材を横フレームと共に共締めして支持部材に固定するようにしてもよい。このようにすれば、上連結部材取付用のボルトが不要となり、より一層平地用単品型室外機置台との共通性を図ることができる。
【００１０】
また、前記平地用単品型室外機置台は、レベル調整用のアジャスターのねじ棒部を各支柱の下端面にロックナットで固定して、アジャスターを支柱の下面に取り付けられるように構成し、下連結部材に形成した水平取付面部を支柱の下面とロックナットとの間に挟持し、ロックナットを締め付けることにより、下連結部材を固定するようにしてもよい。このようにすれば、下連結部材取付用のボルトが不要となり、より一層平地用単品型室外機置台との共通性を図ることができる。
【００１１】
また、支持部材を、支柱の前面に平行となるように支柱の側面の前面側に位置する前垂直面部と、支柱の後面に平行となるように支柱の側面の後面側に位置する後垂直面部とを有する構成とし、さらに、横フレームを、端部が支持部材の前垂直面部及び後垂直面部を上方から覆う覆部に構成され、この覆部が支持部材を覆っている状態で、覆部と支持部材とを前後方向に貫通するボルト及びこのボルトに締結されるナットにより固定する構造とし、上連結部材を、横フレームの覆部に沿う垂直取付面部と支柱の前面又後面に沿う連結面部とを有する構造として、この垂直取付面部を前記ボルトにより横フレームと共締めして支持部材に固定するようにしてもよい。このように構成すれば、ナットを緩めても横フレームが支持部材で支持されているので、増設時において横フレームやエアコン室外機の落下を防止しながら、ナットを緩めて上連結部材を共締めすることができる。
【００１２】
また、上連結部材に形成するボルト貫通用のボルト孔を、当該上連結部材の上端に開口する切欠孔とし、この上連結部材を下方から横フレームとボルトの頭部又はナットとの間にさし込みできるようにしてもよい。このように構成すれば、横フレームを固定するナットをボルトから外さずに上連結部材を取り付けることができる。
【００１３】
また、上連結部材は、前記連結面部を、支柱間の前後方向に架け渡されている縦フレームの下方位置となるように形成するのが好ましい。このようにすれば、連結面部が置台の上面から上方にはみ出すことがないので、見栄えがよくなり、置台設置作業時あるいはエアコン室外機据付作業時の作業性が向上する。
【００１４】
また、上連結部材の連結面部の下端部を水平方向に屈曲させて水平片を形成してもよい。このようにすれば、上連結部材の強度を向上させることができる。
また、上連結部材は、後側の支柱に対しては支柱の前面側に取り付けられ、前側の支柱に対して支柱の後面側に取り付けられるのが好ましい。このようにすれば、連結部材が置台の外側に取り付けられずに内側に取り付けられるので、見栄えが良くなる。
【００１５】
また、横フレームと支持部材とを固定しているボルトを、後側の支柱では後方から前方に向けて挿通し、前側の支柱では前方から後方に向けて挿通するようにするのが好ましい。このようにすれば、ナット側が置台の内側に向けて取り付けられることになるので、見栄えが良くなる。また、前述のように、上連結部材を、後側の支柱に対して支柱の前面側に、前側の支柱に対して支柱の後面側に取り付けるようにする場合には、ナットを緩めるだけでよく、ボルトを横フレーム及び支持部材から取り外す必要がなくなるので、作業性が向上する。
【００１６】
また、上連結部材を、隣接する支柱に支持されるそれぞれの横フレームの覆部に沿う垂直取付面部と、この垂直取付面部間に形成され、隣接する両縦フレームを上方から相互に引き寄せるように挟んで保持する挟持連結部とを有するように構成するとともに、挟持連結部を、中央部で分割された構造とし、分割された両部分を分割側の端部においてボルト締めにより相互に引き寄せて縦フレームを挟持するように構成してもよい。このように構成した上連結部材を用いた場合は、隣接する単品型室外機置台を密着させることができ、一体感を増すことができる。
【００１７】
また、前記下連結部材は、水平取付面部に、隣接するアジャスターの二つのねじ棒部を個別に貫通させるための二つの孔部を有するものとしてもよい。このように構成すれば、この孔部にねじ棒部を貫通させることができ、下連結部材の水平取付面部を支柱の下面とロックナットとの間により強固に固定することができる。
【００１８】
また、この下連結部材の水平取付面部の孔部を、水平取付面部の一端部に平行に開口する切欠孔に形成してもよい。このように構成すればロックナットを緩めた状態で孔部にねじ棒部を貫通させることができ、作業性を向上させながら、下連結部材を強固に形成することができる。
【００１９】
また、このように下連結部材の水平取付面部の孔部を切欠孔とした場合において、後側のアジャスターに対しては前方から、前側のアジャスターに対しては後方からさし込むようにしてもよい。このように構成すれば、下連結部材が置台の内側からさし込まれることになり、見栄えがよい。
【００２０】
また、これとは異なり、下連結部材の水平取付面部の孔部を切欠孔とした場合において、後側のアジャスターに対しては後方から、前側のアジャスターに対しては前方からさし込むようにしてもよい。このように構成すれば、見栄えが若干低下するが、下連結部材を置台の外側から押し込むことができるので作業性が向上する。
【００２１】
また、下連結部材には、切欠孔が開口している端部の反対側の端部に、水平取付面部を垂直方向に屈曲させた垂直片を設けてもよい。このようにすれば、下連結部材の強度を向上させることができる。
【００２２】
また、前記下連結部材において、水平取付面部に隣接するアジャスターの二つのねじ棒部を個別に貫通させる二つの孔部を設ける場合において、この孔部を水平取付面部の左右両端部に開口する切欠孔として形成してもよい。このようにすれば、置台の側方から水平取付面部をさし込むことができるので作業性がよい。
【００２３】
また、この場合において、隣接する支柱間の中央部で水平取付面部を２分割し、分割された各半割部分をヒンジ機構により連結し、固定されていない半割部分を上方へ回転自在となる構成してもよい。このようにすれば、一方の置台のみに固定され、他方の置台が横並びに設置されない状態においては、固定されない方の半割部分を上方に回転させておくことができるので、半割部分が側方に突出して作業の邪魔になることを防止することができる。
【００２４】
また、本発明に係るエアコン室外機の平地用連結型室外機置台の製作方法は、平面視四角形の四隅に支柱を有する複数台の平地用単品型室外機置台を横並びに配置し、隣接する前記単品型室外機置台の支柱間の上部及び下部間を連結部材により連結し、左右方向に隣接する支柱の何れか一方の足元をアンカーボルトで固定するようにしたことを特徴とする。
【００２５】
このようなエアコン室外機の平地用連結型室外機置台の製作方法によれば、平地用単品型室外機置台を用いて見栄えのよい平地用連結型室外機置台を製作することができる。したがって、平地用単品型室外機置台の製作との共通性が高く、生産管理及び在庫管理が簡略化される。また、既設の置台に対し平地用単品型室外機置台を横並びに配置して、増設するエアコン室外機の台数に応じた平地用連結型室外機置台に変更することができる。また、平地用単品型室外機置台を単に横並びに配置する場合に比し、見栄えもよく、アンカーボルトの打ち込み本数も削減でき、作業性を向上させることができる。
【００２６】
また、この平地用連結型室外機置台の製作方法において、前記平地用単品型室外機置台として、支柱に支持部材を固定し、この支持部材により、支柱間の左右方向に架け渡す横フレームを下方から支持してボルトナット止めして固定するものを用い、このナットを緩めて上連結部材を横フレームと共締めして固定するようにしてもよい。このようにすれば、新たなボルト、ナットを用意せずに上連結部材を固定することができる。また、ナットを緩めたときに横フレームは少なくとも支持部材により支持された状態で保持されるので、作業性がよい。
【００２７】
また、この平地用連結型室外機置台の製作方法において、上連結部材には上端に開放する切欠孔をボルト孔とするものを使用し、上連結部材をさし込むことができる程度に横フレームを固定するナットを緩め、上連結部材を横フレームとナットとの間に下方からさし込み、次いで、当該ナットを締結して上連結部材を固定するようにしてもよい。このようにすれば、ナットを緩めたときにボルト及びナットを取り外さなくてもよい。このため、ナットを緩めた状態において横フレームを確実に保持した状態で上連結部材を固定することができる。また、ボルト及びナットを取り外す必要がないので作業性がよい。また、上連結部材は、下方からさし込んで取り付けられているので上連結部材が置台の上方にはみ出ることがなく、また、見栄えを損なうことがなく、エアコン室外機の取り付け時の邪魔物になることがない。
【００２８】
また、この平地用連結型室外機置台の製作方法において、前記平地用単品型室外機置台として、各支柱の下端面にアジャスターのねじ棒部をロックナットで固定して、レベル調整用のアジャスターを備えたものを用い、また、下連結部材として、隣接する支柱の下面とロックナットとの間に挟持される水平の水平取付面部を有するものを用い、この水平取付面部をロックナットを締め付けることにより支柱の下面とロックナットとの間に固定するようにしてもよい。このようにすれば、置台の形状に変化を加えることなく下連結部材を固定することができるので、作業性がよい。
【００２９】
また、この平地用連結型室外機置台の製作方法において、下連結部材として、一端に開放する切欠孔をアジャスターのねじ棒部を貫通させる孔部とするものを使用し、下連結部材をさし込むことができる程度にロックナットを緩め、アジャスターのねじ棒部が前記切欠孔を貫通するように下連結部材をロックナットと支柱の下端面との間に前方又は後方からさし込み、次いで、ロックナットを締め付けることにより下連結部材を固定するようにしてもよい。このようにすれば、アジャスターのねじ棒部が切欠孔を貫通するので、より強固に連結することができる。
【発明の効果】
【００３０】
本発明に係るエアコン室外機の平地用連結型室外機置台及びその製作方法によれば、平地用単品型室外機置台を連結部材で連結することにより平地用連結型室外機置台が製作されるので、部品及び完成品レベルでの平地用単品型室外機置台との共通性が高く、部品及び完成品に関する生産管理及び在庫管理が簡略化される。また、平地用単品型室外機置台を単に横並びにしたものと比較して、見栄えが良くなり、アンカーボルトの打ち込み本数の削減により取付作業工数を削減することができる。また、増設の場合も当初から製作されたものと同様の見栄えとすることができる。
【発明を実施するための最良の形態】
【００３１】
以下、本発明を具体化した実施の形態に係るエアコン室外機の平地用連結型室外機置台の構成及び製作方法を図面に基づいて説明する。
【００３２】
（実施の形態１）
実施の形態１に係るエアコン室外機の平地用連結型室外機置台は、図１の組立斜視図に示すように、平地用単品型室外機置台１を複数台（この実施の形態では２台の場合を示す）を横並びに配置し、隣接する平地用単品型室外機置台１を、上連結部材１０及び下連結部材２０により連結したものである。この平地用単品型室外機置台１は、平面視四角形の四隅に支柱２を有するものであって、上連結部材１０及び下連結部材２０は、この支柱２の上部及び下部の間を連結する。また、上連結部材１０及び下連結部材２０は、同一のものが後側と前側においてそれぞれ取り付けられている。前側の上連結部材１０及び下連結部材２０は、図１では見えない位置となるため、この図面には表されていない、また、本明細書において、前側とは、サービススペースの設けられている側をいい、後側とは、サービススペースが設けられている側の反対側をいう。例えば、置台が壁面に沿って取り付けられる場合であって反壁面側にサービススペースが設けられている場合は、反壁面側を前側といい、壁面側を後側という。なお、本明細書において左右というときは、前側から見ての方向をいうものとする。図１においては、右手前側が前側であり、左後側が後側とする。
【００３３】
次に、本平地用連結型室外機置台に用いられる平地用単品型室外機置台１について、図１〜図６に基づき説明する。図１の平地用連結型室外機置台の組立斜視図とは別に、図２に、この実施の形態に用いられる平地用単品型室外機置台の組立斜視図を示し、図３に同分解斜視図を示す。この図１〜図３に示されるように、この実施の形態に用いられる平地用単品型室外機置台は、平面視四角形の四隅に断面略四角形の筒型の支柱２が配置されている。支柱２は、左右方向に一定の間隔を隔ててそれぞれ２本の支柱２が配置立設されている。また、この２本の支柱２間には、上部及び下部それぞれで前後方向に縦フレーム３が架け渡され、固定されている。また、このように縦フレーム３で固定された左右の支柱２間には、上部及び下部で左右方向に横フレーム４が架け渡されている。なお、図３の分解斜視図には、図面を簡略化するために、下側の横フレーム４は図示されていない。
【００３４】
支柱２には、横フレーム４の一端を下方から支持するための支持部材５が固定されている。支持部材５は、左側の支柱２に取り付けられているものと、右側の支柱２に取り付けられているものとは左右対象に形成されており、図３及び図４に示すように、それぞれ支柱２の前面に平行となるように支柱２の側面の前面側に位置する前垂直面部５ａと、支柱２の後面に平行となるように支柱２の側面の後面側に位置する後垂直面部５ｂとを有している。なお、前垂直面部５ａ及び後垂直面部５ｂの支柱２側は、下方に垂れ下がって支柱２との接合端面を長くするように形成され、この端面が支柱２に溶接されて支持部材５が支柱２に結合されている。また、前垂直面部５ａ及び後垂直面部５ｂには、それぞれ横フレーム４を固定するためのボルト孔５ｃ、５ｄが設けられている。
【００３５】
一方、横フレーム４は、下面を開放したチャネル状に形成され、端部は支持部材５の前垂直面部５ａ及び後垂直面部５ｂを上方から覆う覆部４ａとして形成されている。したがって、覆部４ａのチャネルの幅内寸は、支持部材５の幅外寸、すなわち、前垂直面部５ａの前面から後垂直面部５ｂの後面までの寸法と略同一乃至は若干大きめに形成されている、また、この覆部４ａには、前記ボルト孔５ｃ、５ｄに繋がるボルト孔４ｃ、４ｄが設けられている。そして、図１〜図３に示すように、横フレーム４の上部には、前側の横フレーム４と後側の横フレーム４との間を渡すように一対のベースフレーム６が取り付けられている。エアコン室外機（図示せず）は、防振ゴム（図示せず）を介在させて、ベースフレーム６上に載置される。
【００３６】
各支柱２の下部には、図１〜図３に示すように、アジャスター７が取り付けられている。アジャスター７は、図１２に示すように、下方に座部７ａと、座部７ａと一体に形成されたねじ棒部７ｂと、このねじ棒部７ｂに締結されるロックナット７ｃとを備えている。そして、ねじ棒部７ｂは支柱２の下面に螺合され、螺合位置を変えることにより支柱２の下面と座部７ａとの間隔を調節することにより、支柱２の高さが調整される。ねじ棒部７ｂに螺合されているロックナット７ｃは、支柱２に対し締結されてねじ棒部７ｂの回転を防止するものである。また、アジャスター７の座部７ａには、図１〜図３及び図７に示すように、床に打ち込まれたアンカーボルト（図示せず）を挿通させて、アジャスター７の位置を固定するためのボルト孔７ｄが形成されている。
【００３７】
以上のように構成された平地用単品型室外機置台１の組み立て順について説明する。図３の分解斜視図に示すように、２本の支柱２の上下部に縦フレーム３を溶接にて固定し、さらに、これら２本の支柱２の上部及び下部の予め設定された位置に支持部材５をそれぞれ取り付ける。このようにして構成された二組のアッセンブリ８（図３参照）を用意する。次いで、この二組のアッセンブリ８を所定距離離して立設し、支柱２間の左右方向に横フレーム４を架け渡す。このとき、横フレーム４の端部の覆部４ａが、支持部材５の前垂直面部５ａ及び後垂直面部５ｂを上方から被せるように架け渡す。次いで、図３に示すように、覆部４ａを支持部材５に被せた状態で、支持部材５に設けられたボルト孔５ｃ、５ｄとこれらボルト孔５ｃ、５ｄに繋がる横フレーム４のボルト孔４ｃ、４ｄにボルト９ａを挿通し、このボルト９ａに対しナット９ｂを締結して横フレーム４を固定している。このとき、ボルト９ａは、後側の支柱２に固定された支持部材５では後方から前方に向けて挿通され、前側の支柱２に固定された支持部材５では前方から後方に向けて挿通されている。このようにして、エアコン室外機の平地用単品型室外機置台１が組み立てられている。
【００３８】
次に、このように構成されている平地用単品型室外機置台１、上連結部材１０、下連結部材２０等を用いて本発明に係る平地用連結型室外機置台を製作する場合の連結部分の詳細を説明する。図７には上連結部材１０及び下連結部材２０の連結部分の斜視図を示すが、先ず上連結部材１０周りの構造を図７〜図１１に基づき説明する。上連結部材１０は、これら図に示すように、隣接する支柱２間の上部に跨って配置され、これら支柱２の上部同士を連結するためのものであって、横フレーム４及び支持部材５を介して隣接する支柱２を連結する。具体的には、上連結部材１０は、隣接する支柱２に支持される各横フレーム４の覆部４ａに密接する垂直取付面部１１と、支柱２の前面又後面に沿う連結面部１２とを有し、この垂直取付面部１１には、図１０に示すように前記ボルト９ａを挿通可能とするボルト孔１３が形成されている。なお、連結面部１２と垂直取付面部１１とは、支柱の太さと横フレーム４の太さが異なることに対応して段差を有して一体的に連結されている。また、連結面部１２の下端部には連結面部１２を水平方向に屈曲させた補強リブとしての水平片１４が形成されている。また、連結面部１２は縦フレーム３との干渉を避けるために、縦フレーム３の下方を通るように垂直取付面部１１の下部において連結されている。
【００３９】
一方、下連結部材２０は、図７及び図１２〜図１５に示すように、隣接する支柱２間の下部に跨って配置され、これら支柱２の下部同士を連結するためのものである。そのために、下連結部材２０は、図７及び図１２に示すように、支柱２の下部に取り付けられているアジャスター７のねじ棒部７ｂを連結するようにしている。下連結部材２０は、ロックナット７ｃと支柱２の下面との間に挟持される水平取付面部２１を有し、この水平取付面部２１には、図１４に示すように、アジャスター７のねじ棒部７ｂを貫通させる二つの孔部として、水平取付面部２１の一端に平行に開口する二つの切欠孔２２が形成されている。また、下連結部材２０は、図７及び図１２〜図１５に図示されるように、切欠孔２２が開口している端部の反対側の端部に、水平取付面部２１を垂直に上方向に屈曲させた垂直片２３を備えている。
【００４０】
本発明に係る平地用連結型室外機置台は、以上のように構成された平地用単品型室外機置台１、上連結部材１０及び下連結部材２０を用いて次のように組み立てられる。先ず、組み立てられた平地用単品型室外機置台１を横並びに、例えば、図１のように２台横並びに配置する。次に、隣接する支柱２上部に固定される横フレーム４を固定しているボルト９ａに締結されているナット９ｂを取り外す。このとき、ボルト９ａは、置台の外側から横フレーム４の覆部４ａ、前垂直面部５ａ及び後垂直面部５ｂを貫通したままとする。したがって、後側の支柱２に対して支柱２の前面側に、前側の支柱２に対して支柱２の後面側において、つまり、置台の内側においてナット９ｂを取り外すことになる。これにより平地用単品型室外機置台１の組立状態を保持することができる。また、置台の内側において、水平片１４が下端となり連結面部１２が縦フレーム３の下方となるようにして、垂直取付面部１１のボルト孔１３にボルト９ａを挿通させながら、垂直取付面部１１を横フレーム４の側面に密接させる。これにより、連結面部１２と縦フレーム３との干渉を避けるように、上連結部材を支柱２に跨って位置させることができる。そこで、この状態で、取り外したナット９ｂを再び締結することにより、上連結部材１０を隣接する支柱２間の上部に取り付ける。なお、上記において、平地用単品型室外機置台１として、隣接する支柱２の上部におけるナット９ｂを取り外した状態のものを複数台横並びさせた後で上連結部材１０を上記のように連結することも、勿論可能である。
【００４１】
また、下連結部材２０を取り付けるには、まず、隣接する支柱２の前後それぞれにおいてアジャスター７のロックナット７ｃを緩めて、下連結部材２０がロックナット７ｃと支柱２の下端面との間に水平取付面部２１をさし込めるようにする。次いで、垂直片２３が上を向く状態として、置台の内側から、つまり、後側のアジャスター７に対しては前方から、前側のアジャスター７に対しては後方から切欠孔２２にねじ棒部７ｂが入るように水平取付面部２１をさし込む。そして、各ロックナット７ｃを締め直すことにより、下連結部材２０が取り付けられる。また、このように製作された平地用連結型室外機置台は、地面などの床面に打ち込まれたアンカーボルトで固定する場合には、隣接するアジャスター７のうちの何れか一方の座部７ａのボルト孔７ｄにアンカーボルトを挿通して固定すればよい。
【００４２】
以上のようにして製作されたエアコン室外機の連結型室外機置台又はこの連結型室外機置台の製作方法によれば、次の効果を奏することができる。
（１）平面視四角形の四隅に支柱を有する複数台の平地用単品型室外機置台１を横並びに配置し、隣接する支柱２間を上連結部材１０及び下連結部材２０により固定して構成されているので、部品及び完成品レベルでの平地用単品型室外機置台１との共通性が高く、部品及び完成品に関する生産管理及び在庫管理が簡略化される。
【００４３】
（２）また、平地用単品型室外機置台１を単に横並びにしたものと比較して、平地用単品型室外機置台１を整然と並べた状態の構成となるので見栄えが良くなる。また、隣接する支柱２の何れか一方の支柱２の座部７ａをアンカーボルトで固定することにより、隣接する双方の置台の固定をそれぞれ強固なものとすることができるので、各置台毎に四隅にアンカーボルトを打ち込む必要がなく、取付作業工数が削減される。
【００４４】
（３）また、このように製作された既設の平地用連結型又は単品型室外機置台１に対し置台を増設する場合には、現地において上連結部材１０及び下連結部材２０により平地用単品型室外機置台１を継ぎ足していくことにより、既設の置台を必要台数に見合った平地用連結型室外機置台に変更することができる。また、このようにエアコン室外機の増設により台数を増加するように変更された平地用連結型室外機置台は、当初から増設後の台数に見合った台数用に製作された平地用連結型室外機置台と同様な仕上げとなるので、増設の場合の見栄えが良くなる。
【００４５】
（４）平地用単品型室外機置台１は、支柱２間の左右方向に配置される横フレーム４を、支柱２に固定された支持部材５に対しボルトナット止めして固定されたものとし、上連結部材１０を横フレーム４と共に共締めして支持部材５に固定するようにしているので、上連結部材１０を取り付ける専用のボルトが不要となり、より一層平地用単品型室外機置台１との共通性を図ることができる。
【００４６】
（５）平地用単品型室外機置台１は、レベル調整用のアジャスター７のねじ棒部７ｂを各支柱２の下端面にロックナット７ｃで固定して、アジャスター７を支柱２の下端に取り付けられるように構成し、下連結部材２０に形成した水平取付面部２１を支柱２の下面とロックナット７ｃとの間に挟持し、ロックナット７ｃを締め付けることにより、下連結部材２０を固定するようにしているので、下連結部材２０を取り付けるための専用のボルトが不要となり、より一層平地用単品型室外機置台１との共通性を図ることができる。
【００４７】
（６）横フレーム４の端部を支持部材５の前垂直面部５ａ及び後垂直面部５ｂを上方から覆う覆部４ａとして、上連結部材１０を、横フレーム４の覆部４ａに沿う垂直取付面部１１と、支柱２の前面又は後面に沿う連結面部１２とを有する構造とし、垂直取付面部１１を、ボルト９ａにより横フレーム４と共締めして支持部材５に固定しているので、ボルト９ａに螺合されているナット９ｂを緩めても横フレーム４が支持部材５で支持されている。したがって、増設時において横フレーム４やエアコン室外機の落下を防止しながら、ナット９ｂを緩めて上連結部材１０を共締めすることができる。
【００４８】
（７）上連結部材１０は、連結面部１２を、縦フレーム３との干渉を回避するように、縦フレーム３の下方に配置して形成されているので、連結面部１２が置台の上面から上方にはみ出すことがない。したがって、見栄えがよくなり、置台設置作業時あるいはエアコン室外機据付作業時の作業性が向上する。
【００４９】
（８）上連結部材１０の連結面部１２の下端部を水平方向に屈曲させて水平片１４が形成されているので、上連結部材１０の強度が向上する。
（９）上連結部材１０は、後側の支柱２に対しては支柱２の前面側に取り付けられ、前側の支柱２に対しては支柱２の後面側に取り付けられるのが好ましい。このようにすれば、上連結部材１０が置台の外側に取り付けられずに内側に取り付けられるので、見栄えが良くなる。
【００５０】
（１０）また、横フレーム４と支持部材５とを固定しているボルト９ａを、後側の支柱２では後方から前方に向けて挿通し、前側の支柱２では前方から後方に向けて挿通するようにしているので、ナット９ｂ側が置台の内側に向けて取り付けられることになり、見栄えが良くなる。また、前述のように、上連結部材１０を、後側の支柱２に対して支柱２の前面側に、前側の支柱２に対して支柱の後面側に取り付けるようにする場合には、ナット９ｂを緩めるだけでよく、ボルト９ａを横フレーム４及び支持部材５から取り出す必要がなくなるので、作業性が向上する。
【００５１】
（１１）下連結部材２０の水平取付面部２１に、隣接するアジャスター７の二つのねじ棒部７ｂを個別に貫通させるための二つの孔部（この場合切欠孔２２）を設け、この孔部にねじ棒部７ｂを貫通させるように組み立てられているため、下連結部材２０の水平取付面部２１を支柱２の下面とロックナット７ｃとの間により強固に固定することができる。
【００５２】
（１２）また、下連結部材２０の水平取付面部２１の孔部を切欠孔２２としているので、ロックナットを緩めた状態で切欠孔２２にねじ棒部７ｂを貫通させることができ、作業性を向上させることができる。
【００５３】
（１３）また、このように水平取付面部２１に切欠孔２２を設けた場合において、水平取付面部２１を後側のアジャスター７に対しては前方から、前側のアジャスター７に対しては後方からさし込むようにしているので、下連結部材２０が置台の内側からさし込まれることになり、見栄えがよい。
【００５４】
（１４）また、下連結部材２０には、切欠孔２２が開口している端部の反対側の端部に、水平取付面部２１を垂直方向に屈曲させた垂直片２３を設けているので、下連結部材２０の強度を向上させることができる。
【００５５】
（実施の形態２）
実施の形態２に係る平地用単品型室外機置台は、実施の形態１において上連結部材を変更したものであって、他は同一である。以下では、実施の形態２に係る上連結部材３０について、図１６〜１９に基づいて説明する。図１６は実施の形態２に係る上連結部材３０周りの正面図であり、図１７はその平面図であり、図１８は上連結部材３０の正面図であり、図１９はその平面図である。なお、実施の形態１に係るエアコン室外機の平地用連結型室外機置台と同一又は同等の構成要素には同一の符号を付し、その説明を省略する。
【００５６】
実施の形態２に係る上連結部材３０は、図１６及び図１７に示すように、隣接する支柱２間で２分割されている。分割された両半割部分３０ａは、それぞれ横フレーム４の覆部４ａに沿う垂直取付面部３１と、隣接する両縦フレーム３を上方から相互に引き寄せるように挟んで保持するための挟持連結部３２とから構成されている。
【００５７】
垂直取付面部３１には、図１８に示すように、横フレーム４を支持部材５に固定しているボルト９ａを挿通可能とするボルト孔３３が形成されている。また、挟持連結部３２は、縦フレームの側面に沿う垂直面部３４と縦フレームの上面に沿う水平面部３５とを有し、水平面部３５における垂直取付面部３１の反対側の端部が分割側の端部を構成している。そして、この水平面部３５における分割側端部には立上片３６が形成され、両半割部分３０ａの立上片３６同士を対向させている。そして、両立上片３６には１本のボルト３９ａを挿通するためのボルト孔（図示せず）が設けられている。また、垂直面部３４の下端には縦フレーム３の側壁の下端に係合する係止片３７が設けられている。
【００５８】
このように構成された上連結部材３０の取り付けは次のように行われる。先ず、組み立てられた又は略組み立てられた平地用単品型室外機置台１を横並びに、例えば、図１のように２台横並びに配置する。そして、横フレーム４を固定しているボルト９ａに締結されているナット９ｂを取り外す。このとき、ボルト９ａは、置台の外側から横フレーム４の覆部４ａ及び支持部材５の前垂直面部５ａ及び後垂直面部５ｂを貫通したままとする。したがって、後側の支柱２に対して支柱２の前面側に、前側の支柱２に対して支柱２の後面側において、つまり、置台の内側においてナット９ｂを取り外すことになる。これにより平地用単品型室外機置台１の組立状態を保持することができる。
【００５９】
次に、置台の内側において、係止片３７を縦フレーム３の側壁の下端に係合させた状態で、垂直取付面部３１のボルト孔３３にボルト９ａを挿通する。この状態で、取り外したナット９ｂを再び締結することにより、上連結部材３０を構成する半割部分３０ａを隣接する置台の支柱２それぞれに取り付ける。次いで、両半割部分３０ａの立上片３６のボルト孔にボルト３９ａを挿通し、ナット３９ｂを締め付けることにより、隣接する置台を相互に引き寄せるように縦フレームを上方から挟持する。
【００６０】
このように構成した実施の形態２に係るエアコン室外機の連結型室外機置台は、隣接する単品型室外機置台を密着させることができ、一体感を増すことができる。
【００６１】
（実施の形態３）
実施の形態３に係る平地用単品型室外機置台は、実施の形態１において下連結部材を変更したものであって、他は同一である。以下では、実施の形態３に係る下連結部材について、図２０〜２３に基づいて説明する。図２０は実施の形態３に係る下連結部材周りの正面図であり、図２１はその底面図であり、図２２は下連結部材の正面図であり、図２３はその底面図である。なお、実施の形態１に係るエアコン室外機の平地用連結型室外機置台と同一又は同等の構成要素には同一の符号を付し、その説明を省略する。
【００６２】
実施の形態３に係る下連結部材４０は、図２０及び図２１に示すように、隣接する支柱２間に跨る水平取付面部４１を中央部で２分割し、各半割部分４１ａをヒンジ機構４２により連結したものであり、図２０において２点鎖線で示すように、固定されていない半割部分４１ａを上方へ回転自在に回転できるように構成している。そして、水平取付面部４１には、ねじ棒部７ｂを貫通させるための二つの孔部を形成するために、左右両端部に開口する切欠孔４３が形成されている。
【００６３】
このように構成された、実施の形態３における下連結部材４０の取り付けは次のように行われる。先ず、組み立てられた又は略組み立てられた平地用単品型室外機置台１を横並びに配置する場合に、例えば、図１のように２台横並びに配置する場合には、先ず隣接する置台のアジャスター７のロックナット７ｃを緩める。そして、一方のロックナット７ｃと支柱２の下端面との間に、隣接する置台の方から水平取付面部４１の一方の半割部分４１ａをさし込み、ねじ棒部７ｂが切欠孔４３を貫通する状態として、さし込まれた方のロックナット７ｃを締めてこの各半割部分４１ａを固定する。次いで、水平取付面部４１の他方の半割部分４１ａをさし込み、ねじ棒部７ｂが切欠孔４３を貫通する状態としてロックナット７ｃを締めて、他方の各半割部分４１ａを隣接する置台に固定する。なお、このとき、横並びに配置される平地用単品型室外機置台１の並び方が悪いときは、両ロックナット７ｃを適宜緩めたり締めたりして並び具合を調節する。
【００６４】
このように構成された実施の形態３によれば、隣接する置台の方から水平取付面部４１をさし込むことができるので作業性がよい。またこの作業の途中において、一方の置台のみに固定され、他方の置台横並びに設置されない状態においては、固定されない方の半割部分４１ａを上方に回転させておくことができるので、半割部分４１ａが側方に突出して作業の邪魔になることを防止することができる。
【００６５】
以上説明した各実施の形態に係る平地用連結型室外機置台は、一例を示すものであり、本発明の範囲内において適宜変更できるものである。例えば、次のように変形することができる。
【００６６】
（１）実施の形態２において、実施の形態３の下連結部材４０を用いた平地用連結型室外機置台とすることもできる。
（２）実施の形態１において、図２４に示すように、上連結部材１０のボルト孔１３を上端側に開口する切欠孔１３ａとして、上連結部材１０を下方から横フレーム４とナット９ｂとの間にさし込みできるようにしてもよい。このように構成すれば、横フレーム４を固定するナット９ｂをボルト９ａから外さずに上連結部材１０を取り付けることができ、作業性が向上する。
【００６７】
（３）同様に、実施の形態２において、図２５に示すように、上連結部材３０のボルト孔３３を上端側に開口する切欠孔３３ａとして、上連結部材３０を下方から横フレーム４とナット９ｂとの間にさし込みできるようにしてもよい。このように構成すれば、横フレーム４を固定するナット９ｂをボルト９ａから外さずに上連結部材３０を取り付けることができ、作業性が向上する。
【００６８】
（４）実施の形態１において、下連結部材２０の取付を次のようにしてもよい。すなわち、隣接する支柱２の前後それぞれにおいてアジャスター７のロックナット７ｃを緩めた後、垂直片２３が上を向く状態として、置台の外側から、つまり、後側のアジャスター７に対しては後方から、前側のアジャスター７に対しては前方から切欠孔２２にねじ棒部７ｂが入るように水平取付面部２１をさし込むようにしてもよい。このように変形した場合は、実施の形態１に比較して、見栄えが若干低下するが、置台の外側から下連結部材２０をさし込むことができるので下連結部材２０の取付作業の効率が向上する。
【００６９】
（５）実施の形態１〜３において、各ボルト９ａ又は一部のボルト９ａを置台の内側から外側に向けてボルト孔４ｃ、４ｄ、５ｃ、５ｄに挿通し、ナット９ｂを置台の外側で螺合するように構成することもできる。この場合は、上連結部材１０、３０を置台の外側に取り付けることができるので、作業性は良好となる。しかし、ボルト９ａの先端及び上連結部材１０、３０が置台の外側に位置することになるので、見栄えが悪くなる。
【産業上の利用可能性】
【００７０】
本発明に係るエアコン室外機の平地用連結型室外機置台及びその製作方法は、複数台のエアコン室外機を据え付ける一般的な置台及びその製作方法として利用することができる。
【図面の簡単な説明】
【００７１】
【図１】実施の形態１に係るエアコン室外機の平地用連結型室外機置台の斜視図である。
【図２】同平地用連結型室外機置台に用いられる平地用単品型室外機置台の斜視図である。
【図３】同平地用単品型室外機置台の分解斜視図である。
【図４】同平地用単品型室外機置台の支持部材の斜視図である。
【図５】同平地用単品型室外機置台の横フレームの覆部の斜視図である。
【図６】同平地用単品型室外機置台における横フレームの連結部の断面図である。
【図７】同平地用連結型室外機置台における上連結部材及び下連結部材周りの斜視図である。
【図８】同平地用連結型室外機置台における上連結部材周りの正面図である。
【図９】同平地用連結型室外機置台における上連結部材周りの平面図である。
【図１０】同上連結部材の正面図である。
【図１１】同上連結部材の平面図である。
【図１２】同平地用連結型室外機置台における下連結部材周りの正面図である。
【図１３】図１２におけるＸ−Ｘ断面図である。
【図１４】同平地用連結型室外機置台における下連結部材の正面図である。
【図１５】同平地用連結型室外機置台における下連結部材の底面図である。
【図１６】実施の形態２に係るエアコン室外機の平地用連結型室外機置台における上連結部材周りの正面図である。
【図１７】同平地用連結型室外機置台における上連結部材周りの平面図である。
【図１８】同上連結部材の正面図である。
【図１９】同上連結部材の平面図である。
【図２０】実施の形態３に係るエアコン室外機の平地用連結型室外機置台における下連結部材周りの正面図である。
【図２１】図２０におけるＹ−Ｙ断面図である。
【図２２】同平地用連結型室外機置台における下連結部材の正面図である。
【図２３】同下連結部材の底面図である。
【図２４】実施の形態１に係る上連結部材の変形例の正面図である。
【図２５】実施の形態２に係る上連結部材の変形例の正面図である。
【図２６】従来のエアコン室外機の平地用連結型室外機置台の斜視図である。
【図２７】同平地用連結型室外機置台を構成する小型置台部分に相当する単品型室外機置台の斜視図である。
【図２８】同単品型室外機置台を構成する支柱の平面図である。
【図２９】同支柱の側面図である。
【図３０】同平地用連結型室外機置台における支柱の平面図である。
【符号の説明】
【００７２】
１    平地用単品型室外機置台、２    支柱、３    縦フレーム、４    横フレーム、４ａ    覆部、５    支持部材、５ａ    前垂直面部、５ｂ    後垂直面部、７    アジャスター、７ｂ    ねじ棒部、７ｃ    ロックナット、９ａ    ボルト、９ｂ    ナット、１０    上連結部材、１１    垂直取付面部、１２    連結面部、１３    ボルト孔、１３ａ    切欠孔、１４    水平片、２０    下連結部材、２１    水平取付面部、２２    切欠孔、２３    垂直片、３０    上連結部材、３０ａ    半割部分、３１    垂直取付面部、３２    挟持連結部、３３    ボルト孔、３３ａ    切欠孔、３６    立上片、３９ａ    ボルト、３９ｂ    ナット、４０    下連結部材、４１    水平取付面部、４１ａ    半割部分、４２    ヒンジ機構、４３    切欠孔
【図１】
2007064537.tif 000003
【図２】
2007064537.tif 000004
【図３】
2007064537.tif 000005
【図４】
2007064537.tif 000006
【図５】
2007064537.tif 000007
【図６】
2007064537.tif 000008
【図７】
2007064537.tif 000009
【図８】
2007064537.tif 000010
【図９】
2007064537.tif 000011
【図１０】
2007064537.tif 000012
【図１１】
2007064537.tif 000013
【図１２】
2007064537.tif 000014
【図１３】
2007064537.tif 000015
【図１４】
2007064537.tif 000016
【図１５】
2007064537.tif 000017
【図１６】
2007064537.tif 000018
【図１７】
2007064537.tif 000019
【図１８】
2007064537.tif 000020
【図１９】
2007064537.tif 000021
【図２０】
2007064537.tif 000022
【図２１】
2007064537.tif 000023
【図２２】
2007064537.tif 000024
【図２３】
2007064537.tif 000025
【図２４】
2007064537.tif 000026
【図２５】
2007064537.tif 000027
【図２６】
2007064537.tif 000028
【図２７】
2007064537.tif 000029
【図２８】
2007064537.tif 000030
【図２９】
2007064537.tif 000031
【図３０】
2007064537.tif 000032